(57)【要約】  【課題】  消去による書き換え回数を少なくしてフラッシュメモリの寿命が長くなるようにし、また、データを書き換える場合の消去時間が少なくなることにより、処理速度を高めることができる光ディスク再生装置を提供する。  【解決手段】  フラッシュメモリの領域３１の各ブロックにデータ管理部３２１とデータ保存部３２２を設け、データ保存部３２２は複数のデータ保存領域を有し、データ管理部３２１は、各データ保存領域に対応し、各データ保存領域のデータが有効であるか否かを示すデータ管理用のデータを記憶する。フラッシュＲＯＭ２０に対するデータ書き換え処理が開始した場合に、データ管理部３２１のデータ管理用のデータがＦＦＦＦＨである未使用のデータ保存領域が、データ保存部３２２から検索され、未使用のデータ保存領域に更新データが書き込まれる。【選択図】      図２
2005062981.tif 000002
【特許請求の範囲】
【請求項１】
光ディスクに記録された情報を再生する光ディスク再生装置において、装置の各部を制御
するためのファームウェア、初期設定情報、ユーザ設定情報、および電源オフ時のレジュ
ーム情報を記憶するフラッシュメモリを備え、前記フラッシュメモリの領域をデータ消去
できる最小単位であるブロックに分割し、これらの各ブロックに、データ管理用のデータ
が記憶されるデータ管理部としての領域と、データが保存されるデータ保存部としての領
域とを設け、前記データ保存部は複数のデータ保存領域を有し、前記データ管理部は、前
記データ保存部内の各データ保存領域に対応し、各データ保存領域のデータが有効である
か否かを示すデータ管理用のデータを記憶するものであり、前記フラッシュメモリに対す
るデータ書き換え処理が開始した場合に、前記データ管理部のデータ管理用のデータが全
て００００Ｈであるか否かを判定する管理用データ判定手段と、前記データ管理用のデー
タが全て００００Ｈである場合に当該ブロック内のデータを全部初期化して消去するブロ
ック消去手段と、前記データ管理用のデータが全て００００Ｈでない場合、あるいは当該
ブロック内のデータを全部初期化して消去した後、前記データ管理部のデータ管理用のデ
ータがＦＦＦＦＨであるところの未使用のデータ保存領域を検索する未使用領域検索手段
と、前記検索された未使用のデータ保存領域に更新データを書き込むデータ書込み手段と
、更新データが書き込まれた未使用のデータ保存領域に対応する前記データ管理部のデー
タ管理用のデータを００００Ｈに設定する管理データ設定手段とを有するシステムコント
ローラを備えたことを特徴とする光ディスク再生装置。
【請求項２】
光ディスクに記録された情報を再生する光ディスク再生装置において、装置の各部を制御
するためのファームウェア、初期設定情報、ユーザ設定情報、および電源オフ時のレジュ
ーム情報を記憶するフラッシュメモリを備え、前記フラッシュメモリの領域をデータ消去
できる最小単位であるブロックに分割し、これらの各ブロックに、データ管理用のデータ
が記憶されるデータ管理部としての領域と、データが保存されるデータ保存部としての領
域とを設け、前記データ保存部は複数のデータ保存領域を有し、前記データ管理部は、前
記データ保存部内の各データ保存領域に対応し、各データ保存領域のデータが有効である
か否かを示すデータ管理用のデータを記憶するものであり、前記フラッシュメモリに対す
るデータ書き換え処理を行う場合、未使用のデータ保存領域が存在すれば、この未使用の
データ保存領域に更新データを書き込み、この更新データが書き込まれた未使用のデータ
保存領域に対応するデータ管理部のデータ管理用のデータを有効であることを示すように
設定するシステムコントローラを備えたことを特徴とする光ディスク再生装置。
【請求項３】
当該データ管理用のデータがＦＦＦＦＨの場合は、当該データ保存領域が未使用であるこ
とを示し、当該データ管理用のデータが００００Ｈの場合は、当該データ保存領域が使用
済みでデータが有効であることを示すことを特徴とする請求項２に記載の光ディスク再生
装置。
【請求項４】
前記システムコントローラは、前記フラッシュメモリに対するデータ書き換え処理が開始
した場合に、前記データ管理部のデータ管理用のデータが全て００００Ｈであるか否かを
判定する管理用データ判定手段と、前記データ管理用のデータが全て００００Ｈである場
合に当該ブロック内のデータを全部初期化して消去するブロック消去手段と、前記データ
管理用のデータが全て００００Ｈでない場合、あるいは当該ブロック内のデータを全部初
期化して消去した後、前記データ管理部のデータ管理用のデータがＦＦＦＦＨであるとこ
ろの未使用のデータ保存領域を検索する未使用領域検索手段と、前記検索された未使用の
データ保存領域に更新データを書き込むデータ書込み手段と、更新データが書き込まれた
未使用のデータ保存領域に対応する前記データ管理部のデータ管理用のデータを００００
Ｈに設定する管理データ設定手段とを有することを特徴とする請求項２に記載の光ディス
ク再生装置。
【発明の詳細な説明】
【技術分野】
【０００１】
本発明は、光ディスクに記録された情報を再生する光ディスク再生装置に関し、特に、
フラッシュメモリに対するデータ書き換え処理に関する。
【背景技術】
【０００２】
従来から光ディスク再生装置において、装置の各部を制御するためのファームウェア、
初期設定情報、ユーザ設定情報、および電源オフ時のレジューム情報を記憶するフラッシ
ュメモリが備えられている。前記初期設定情報とは、言語設定情報やアスペクト情報など
の情報を言い、この初期設定情報とユーザにより設定される前記ユーザ設定情報とはセッ
トアップ情報とも呼ばれる。このようなフラッシュメモリは、不揮発性であり、電気的に
書き換え可能なＲＯＭである。フラッシュメモリには、データ消去できる最小単位の記憶
領域である１ブロックの中に、データを管理するデータ管理部とデータを保存するデータ
保存部とが備えられている。なお、データ消去できる最小単位である１ブロック（最小ブ
ロック）の記憶容量は例えば８Ｋバイトである。
【特許文献１】特開平５−２３３４２６号公報
【発明の開示】
【発明が解決しようとする課題】
【０００３】
ところで、従来の光ディスク再生装置において、初期設定情報、ユーザ設定情報、電源
オフ時のレジューム情報などがフラッシュメモリに記憶されるが、それらの情報のデータ
を書き換える場合、１ブロックを毎回消去し、同じブロックに更新データを書き込むよう
になっている。したがって、従来の光ディスク再生装置におけるフラッシュメモリに対す
る消去の伴う書き換え回数が増加して、予め制限された書き換え回数に達するのが早くな
り、その結果、フラッシュメモリの寿命を短くすることになり、また、データを書き換え
る場合、１ブロックを毎回消去しなければならないので、その分、消去時間が増えて、処
理速度が低下することにもなる。
【０００４】
そこで、特許文献１に記載のフラッシュメモリ使用方法では、フラッシュメモリを複数
のセクタで区切り、各セクタに論理アドレス部と消去管理部とデータ部などを設け、論理
アドレスによりセクタを検索し、そして更新するとき、該セクタの消去管理部の消去可能
フラグをオンにし、空きセクタにその論理アドレスを付加し、その空きセクタに更新デー
タを記入するようにしている。
【０００５】
しかしながら、このフラッシュメモリ使用方法では、１セクタ中に、論理アドレス部と
消去管理部とデータ部などを持っているため、どのセクタが空きセクタであるかを検索す
るのに、各セクタの消去管理部に設定されている消去管理フラグを順次調べて、空きセク
タを検索しなければならないので、空きセクタ検索処理が複雑化して、その分、処理時間
が多くかかることになる。なお、ここで言う１ブロック内の１セクタは、後述する実施形
態における１ブロック内のデータ保存部の１つのデータ保存領域に相当するものである。
【０００６】
本発明は、上記のような課題を解決するためになされたもので、実質的に書き換え回数
を減らすことなくデータを保存できると共に、消去による書き換え回数を少なくできるよ
うにすることにより、フラッシュメモリの寿命が長くなるようにし、また、データを書き
換える場合、消去による書き換え回数を少なくできることにより、消去時間が少なくなっ
て、処理速度を高めることができる光ディスク再生装置を提供することを目的とする。
【課題を解決するための手段】
【０００７】
上記目的を達成するために、請求項１の発明は、装置の各部を制御するためのファーム
ウェア、初期設定情報、ユーザ設定情報、および電源オフ時のレジューム情報を記憶する
フラッシュメモリを備え、前記フラッシュメモリの領域をデータ消去できる最小単位であ
るブロックに分割し、これらの各ブロックに、データ管理用のデータが記憶されるデータ
管理部としての領域と、データが保存されるデータ保存部としての領域とを設け、前記デ
ータ保存部は複数のデータ保存領域を有し、前記データ管理部は、前記データ保存部内の
各データ保存領域に対応し、各データ保存領域のデータが有効であるか否かを示すデータ
管理用のデータを記憶するものであり、前記フラッシュメモリに対するデータ書き換え処
理が開始した場合に、前記データ管理部のデータ管理用のデータが全て００００Ｈである
か否かを判定する管理用データ判定手段と、前記データ管理用のデータが全て００００Ｈ
である場合に当該ブロック内のデータを全部初期化して消去するブロック消去手段と、前
記データ管理用のデータが全て００００Ｈでない場合、あるいは当該ブロック内のデータ
を全部初期化して消去した後、前記データ管理部のデータ管理用のデータがＦＦＦＦＨで
あるところの未使用のデータ保存領域を検索する未使用領域検索手段と、前記検索された
未使用のデータ保存領域に更新データを書き込むデータ書込み手段と、更新データが書き
込まれた未使用のデータ保存領域に対応する前記データ管理部のデータ管理用のデータを
００００Ｈに設定する管理データ設定手段とを有するシステムコントローラを備えたこと
を特徴とする光ディスク再生装置を提供する。
【０００８】
この構成において、フラッシュメモリに対するデータ書き換え処理が開始した場合に、
データ管理部のデータ管理用のデータが全て００００Ｈであると管理用データ判定手段に
より判定されると、ブロック消去手段により当該ブロック内のデータが全部初期化されて
消去される。一方、前記データ管理用のデータが全て００００Ｈでないと管理用データ判
定手段により判定された場合、あるいは当該ブロック内のデータが全部初期化されて消去
された後、前記データ管理部のデータ管理用のデータがＦＦＦＦＨであるところの未使用
のデータ保存領域が未使用領域検索手段により検索される。そして、前記検索された未使
用のデータ保存領域に更新データがデータ書込み手段により書き込まれ、その更新データ
が書き込まれた未使用のデータ保存領域に対応するデータ管理部のデータ管理用のデータ
が管理データ設定手段により００００Ｈに設定される。
【０００９】
この構成によれば、フラッシュメモリに対するデータ書き換えを行う場合、更新データ
は、更新前のデータが記憶されている同じデータ保存領域に書き込みを行わずに、データ
保存領域を変更して、未使用のデータ保存領域に書き込まれるので、実質的に書き換え回
数を減らすことなくデータを保存できると共に、消去による書き換え回数が少なくなり、
これにより、フラッシュメモリの寿命が長くなり、また、データを書き換える場合、消去
による書き換え回数が少なくなることにより、消去時間が少なくなり、処理速度を高める
ことができる。
【００１０】
請求項２の発明は、装置の各部を制御するためのファームウェア、初期設定情報、ユー
ザ設定情報、および電源オフ時のレジューム情報を記憶するフラッシュメモリを備え、前
記フラッシュメモリの領域をデータ消去できる最小単位であるブロックに分割し、これら
の各ブロックに、データ管理用のデータが記憶されるデータ管理部としての領域と、デー
タが保存されるデータ保存部としての領域とを設け、前記データ保存部は複数のデータ保
存領域を有し、前記データ管理部は、前記データ保存部内の各データ保存領域に対応し、
各データ保存領域のデータが有効であるか否かを示すデータ管理用のデータを記憶するも
のであり、前記フラッシュメモリに対するデータ書き換え処理を行う場合、未使用のデー
タ保存領域が存在すれば、この未使用のデータ保存領域に更新データを書き込み、この更
新データが書き込まれた未使用のデータ保存領域に対応するデータ管理部のデータ管理用
のデータを有効であることを示すように設定するシステムコントローラを備えたことを特
徴とする光ディスク再生装置を提供する。
【００１１】
この構成において、前記フラッシュメモリに対するデータ書き換え処理を行う場合、未
使用のデータ保存領域が存在すれば、この未使用のデータ保存領域に更新データが書き込
まれ、この更新データが書き込まれた未使用のデータ保存領域に対応するデータ管理部の
データ管理用のデータが有効であることを示すように設定される。
【００１２】
この構成によれば、フラッシュメモリに対するデータ書き換えを行う場合、更新データ
は、更新前のデータが記憶されている同じデータ保存領域に書き込みを行わずに、データ
保存領域を変更して、未使用のデータ保存領域に書き込まれるので、実質的に書き換え回
数を減らすことなくデータを保存できると共に、消去による書き換え回数が少なくなり、
これにより、フラッシュメモリの寿命が長くなり、また、データを書き換える場合、消去
による書き換え回数が少なくなることにより、消去時間が少なくなり、処理速度を高める
ことができる。
【００１３】
請求項３の発明では、当該データ管理用のデータがＦＦＦＦＨの場合は、当該データ保
存領域が未使用であることを示し、当該データ管理用のデータが００００Ｈの場合は、当
該データ保存領域が使用済みでデータが有効であることを示すので、当該データ保存領域
が未使用であるか、使用済みでデータが有効であるかを、当該データ管理用のデータがＦ
ＦＦＦＨであるか、００００Ｈであるかを調べることにより分かる。
【００１４】
請求項４の発明では、前記システムコントローラは、前記フラッシュメモリに対するデ
ータ書き換え処理が開始した場合に、前記データ管理部のデータ管理用のデータが全て０
０００Ｈであるか否かを判定する管理用データ判定手段と、前記データ管理用のデータが
全て００００Ｈである場合に当該ブロック内のデータを全部初期化して消去するブロック
消去手段と、前記データ管理用のデータが全て００００Ｈでない場合、あるいは当該ブロ
ック内のデータを全部初期化して消去した後、前記データ管理部のデータ管理用のデータ
がＦＦＦＦＨであるところの未使用のデータ保存領域を検索する未使用領域検索手段と、
前記検索された未使用のデータ保存領域に更新データを書き込むデータ書込み手段と、更
新データが書き込まれた未使用のデータ保存領域に対応する前記データ管理部のデータ管
理用のデータを００００Ｈに設定する管理データ設定手段とを有するので、フラッシュメ
モリに対するデータ書き換えを行う場合、更新データは、更新前のデータが記憶されてい
る同じデータ保存領域に書き込みを行わずに、データ保存領域を変更して、未使用のデー
タ保存領域に書き込むことが可能になる。
【発明の効果】
【００１５】
以上のように本発明によれば、フラッシュメモリに対するデータ書き換え処理が開始し
た場合に、データ管理部のデータ管理用のデータが全て００００Ｈであるか否かを判定す
る管理用データ判定手段と、前記データ管理用のデータが全て００００Ｈである場合に当
該ブロック内のデータを全部初期化して消去するブロック消去手段と、前記データ管理用
のデータが全て００００Ｈでない場合、あるいは当該ブロック内のデータを全部初期化し
て消去した後、前記データ管理部のデータ管理用のデータがＦＦＦＦＨであるところの未
使用のデータ保存領域を検索する未使用領域検索手段と、前記検索された未使用のデータ
保存領域に更新データを書き込むデータ書込み手段と、更新データが書き込まれた未使用
のデータ保存領域に対応する前記データ管理部のデータ管理用のデータを００００Ｈに設
定する管理データ設定手段とを有するシステムコントローラを備えたので、フラッシュメ
モリに対するデータ書き換えを行う場合、更新データは、更新前のデータが記憶されてい
る同じデータ保存領域に書き込みを行わずに、データ保存領域を変更して、未使用のデー
タ保存領域に書き込まれる。したがって、実質的に書き換え回数を減らすことなくデータ
を保存できると共に、消去による書き換え回数が少なくなり、これにより、フラッシュメ
モリの寿命が長くなり、また、データを書き換える場合、消去による書き換え回数が少な
くなることにより、消去時間が少なくなり、処理速度を高めることができる。
【００１６】
また、本発明によれば、フラッシュメモリに対するデータ書き換え処理を行う場合、未
使用のデータ保存領域が存在すれば、この未使用のデータ保存領域に更新データを書き込
み、この更新データが書き込まれた未使用のデータ保存領域に対応するデータ管理部のデ
ータ管理用のデータを有効であることを示すように設定するシステムコントローラを備え
たので、フラッシュメモリに対するデータ書き換えを行う場合、更新データは、更新前の
データが記憶されている同じデータ保存領域に書き込みを行わずに、データ保存領域を変
更して、未使用のデータ保存領域に書き込まれる。したがって、実質的に書き換え回数を
減らすことなくデータを保存できると共に、消去による書き換え回数が少なくなり、これ
により、フラッシュメモリの寿命が長くなり、また、データを書き換える場合、消去によ
る書き換え回数が少なくなることにより、消去時間が少なくなり、処理速度を高めること
ができる。
【発明を実施するための最良の形態】
【００１７】
以下、添付図面を参照しつつ、本発明の実施の形態について説明する。図１は本発明の
一実施形態に係る光ディスク再生装置の構成を示すブロック図である。図１において、こ
の光ディスク再生装置は、ＤＶＤ等の光ディスク１に記録された情報を再生するためにレ
ーザ光を出射すると共に光ディスク１からの反射光を受光する光ピックアップ３と、光デ
ィスク１を回転させるスピンドルモータ２と、このスピンドルモータ２を駆動するスピン
ドルドライブ回路１９と、光ピックアップ３のトラッキングサーボを行うアクチュエータ
（図示せず）を駆動するトラッキングドライブ回路１７と、光ピックアップ３のフォーカ
スサーボを行うアクチュエータ（図示せず）を駆動するフォーカスドライブ回路１６と、
光ピックアップ３を光ディスク１の半径方向に移動させるスレッド４と、このスレッド４
を駆動するスレッドドライブ回路１８とを備えている。
【００１８】
また、この光ディスク再生装置は、光ディスク１の再生時に光ディスク１からの再生信
号（読取信号）を入力して該再生信号よりＲＦ信号を作成して増幅するＲＦアンプ５と、
ＶＣＯ（voltage controlled oscillator）を含むＰＬＬ（phase locked loop）８を備え
ＲＦアンプ５からのＲＦ信号を入力してデータと同期信号を分離するデータ／同期信号分
離回路６と、このデータ／同期信号分離回路６で分離されたデータを入力してデコード化
することによりエラーチェックを行いデータに誤りがある場合はエラー訂正を行って正し
いデータを出力するデータデコードエラー訂正回路９と、このデータデコードエラー訂正
回路９から正しいデータを入力しデコード化してビデオ信号とオーディオ信号をビデオ出
力端子２３とオーディオ出力端子２４をそれぞれ介して例えば図示しないＴＶモニタなど
に供給するＡＶデコード回路１０とを備えている。
【００１９】
また、このディスク再生装置は、ＲＦアンプ５からのＲＦ信号に含まれ光ディスク１上
のトラックの無いミラー面を示すミラー信号を検出してミラー面をカウントするミラー検
出回路７と、光ピックアップ３からの再生信号に含まれるトラッキングエラー信号を検出
するトラッキングエラー検出回路１１と、光ピックアップ３からの再生信号に含まれるフ
ォーカスエラー信号を検出するフォーカスエラー検出回路１２と、トラッキングエラー検
出回路１１からのトラッキングエラー信号に基づいてトラッククロスを検出してトラック
パルスを出力するトラッククロス検出回路１３とを備えている。
【００２０】
また、この光ディスク再生装置には、この装置本体の前面などに設けられ装置電源のオ
ン／オフ操作や再生に関する各種操作などを行うための複数のキーを有した操作部２５が
備えられている。この操作部２５は、リモコン（リモートコントローラ）２６からの操作
指令を示す光信号を受信する受光手段（図示せず）を備え、この受光手段により光信号を
電気信号に変換してシステムコントローラ１４に指令信号を入力する。リモコン２６は、
装置電源のオン／オフ操作や再生に関する各種操作などを行うための複数のキー（図示せ
ず）を有している。
【００２１】
また、この光ディスク再生装置は、装置の各部を制御するためのファームウェア、初期
設定情報、ユーザ設定情報、および電源オフ時のレジューム情報を記憶するフラッシュメ
モリとしてのフラッシュＲＯＭ２０と、前記ファームウェアに基づいて装置全体の処理を
行うＣＰＵ１５と、このＣＰＵ１５に従って上記各構成要素を制御するシステムコントロ
ーラ１４とを備えている。
【００２２】
このシステムコントローラ１４は、光ピックアップ３からの再生信号に含まれるフォー
カスエラー信号に基づいて光ピックアップ３のフォーカスサーボのための制御、光ピック
アップ３からの再生信号に含まれるトラッキングエラー信号に基づいて光ピックアップ３
のトラッキングサーボのための制御、操作部２５やリモコン２６からの再生指示信号に従
って光ディスク１の再生位置を決めるためスレッドドライブ回路１８を介してスレッド４
を駆動して光ピックアップ３を光ディスク１の半径方向に移動させる制御、操作部２５や
リモコン２６からの操作信号によりスピンドルドライブ回路１９を介してスピンドルモー
タ２を回転させる制御などを行う。
【００２３】
また、システムコントローラ１４は、フラッシュＲＯＭ２０に対するデータ書き換え処
理が開始した場合に、データ管理部のデータ管理用のデータが全て００００Ｈであるか否
かを判定する管理用データ判定手段１４１と、前記データ管理用のデータが全て００００
Ｈである場合に当該ブロック内のデータを全部初期化して消去するブロック消去手段１４
２と、前記データ管理用のデータが全て００００Ｈでない場合、あるいは当該ブロック内
のデータを全部初期化して消去した後、前記データ管理部のデータ管理用のデータがＦＦ
ＦＦＨであるところの未使用のデータ保存領域を検索する未使用領域検索手段１４３と、
前記検索された未使用のデータ保存領域に更新データを書き込むデータ書込み手段１４４
と、更新データが書き込まれた未使用のデータ保存領域に対応する前記データ管理部のデ
ータ管理用のデータを００００Ｈに設定する管理データ設定手段１４５とを有する。
【００２４】
図２は本実施形態の光ディスク再生装置におけるフラッシュＲＯＭのブロックを示す図
である。図２において、３１はフラッシュＲＯＭのアドレス００００〜ＦＦＦＦの領域を
示す。アドレス００００〜６０００の領域３１１，３１２はデータ消去できる最小単位で
ある１ブロックである。この１ブロックのうち、領域３１１はデータ管理部３２１の領域
として用いられ、領域３１２はデータ保存部３２２の領域として用いられる。３３１はデ
ータ管理部３２１のデータ管理用のデータが記憶されるデータ管理用領域、３３２はデー
タ保存部３２２内のデータ１保存領域、３３３はデータ保存部３２２内のデータ２保存領
域、３３４はデータ保存部３２２内のデータｎ保存領域である。
【００２５】
一般に、フラッシュＲＯＭは、記憶容量が様々であるが、１ブロックの中に、データを
管理するデータ管理部３２１と、データを保存するデータ保存部３２２とを備えている。
データ管理部３２１のデータは、初期化されると、データ管理用領域３３１内に示すよう
にＦＦＦＦに設定される。このＦＦＦＦは当該データ保存領域に何もデータが入っていな
いことを示す。
【００２６】
例えば、データ管理用領域３３１内の最上段の一番左のデータがＦＦＦＦである場合は
、データ１保存領域３３２にはデータが何も入っていないことを示す。そして、そのデー
タがＦＦＦＦに代わり００００である場合は、データ１保存領域３３２にはデータが入っ
ていることを示す。したがって、データ１保存領域３３２のデータを書き換えたい場合は
、データ管理用領域３３１内の最上段の一番左のデータをＦＦＦＦから００００にして、
データ１保存領域３３２のデータを書き換える。
【００２７】
図３は本実施形態の光ディスク再生装置におけるフラッシュＲＯＭに対するデータ書き
換え処理を示すフローチャートである。このフローチャートを参照してフラッシュＲＯＭ
に対するデータ書き換え処理を説明する。
【００２８】
フラッシュＲＯＭ２０に対するデータ書き換え処理が開始した場合に（ステップＳ１）
、システムコントローラ１４の管理用データ判定手段１４１は、データ管理部３２１のデ
ータ管理用領域３３１内のデータ管理用のデータが全て００００Ｈであるか否かを判定し
（ステップＳ２）、前記データ管理用のデータが全て００００Ｈである場合に、ブロック
消去手段１４２は、当該ブロック内のデータを全部初期化して消去する（ステップＳ３）
。
【００２９】
一方、前記データ管理用のデータが全て００００Ｈでない場合、あるいは当該ブロック
内のデータを全部初期化して消去した後、未使用領域検出手段１４３はデータ管理部３２
１のデータ管理用領域３３１内のデータ管理用のデータがＦＦＦＦＨであるところの未使
用のデータ保存領域を検索する（ステップＳ４）。
【００３０】
次に、データ書込み手段１４４は、前記検索された未使用のデータ保存領域に更新デー
タを書き込み（ステップＳ５）、管理データ設定手段１４５は、更新データが書き込まれ
た未使用のデータ保存領域に対応するデータ管理部３２１のデータ管理用のデータを００
００Ｈに設定し（ステップＳ６）、このデータ書き換え処理を終える（ステップＳ７）。
【図面の簡単な説明】
【００３１】
【図１】本発明の一実施形態に係る光ディスク再生装置の構成を示すブロック図である。
【図２】前記実施形態の光ディスク再生装置におけるフラッシュＲＯＭのブロックを示す図である。
【図３】前記実施形態の光ディスク再生装置におけるフラッシュＲＯＭに対するデータ書き換え処理を示すフローチャートである。
【符号の説明】
【００３２】
１    光ディスク
１４    システムコントローラ
２０    フラッシュＲＯＭ
１４１    管理用データ判定手段
１４２    ブロック消去手段
１４３    未使用領域検索手段
１４４    データ書込み手段
１４５    管理データ設定手段
【図１】
2005062981.tif 000003
【図２】
2005062981.tif 000004
【図３】
2005062981.tif 000005